(57)【要約】【課題】新たにセンサを設けることなく海象の変化を判断し、海象に応じたガバナ制御を行うことにより燃費を向上する。【解決手段】舶用エンジン制御システム１０において、制御指令として目標回転速度Ｎｏを設定する。負荷抵抗係数算出ブロック２４において実フューエルインデックスＦＩｅと主機関１３の実回転速度Ｎｅから負荷抵抗係数Ｒを求める。出力制御を行う第２制御モードが選択されるとき、回転速度／出力変換ブロック１６において負荷抵抗係数Ｒの所定時間に亘る平均値Ｒａｖを用いて、目標回転速度Ｎｏが目標出力Ｐｏに変換される。また、フューエルインデックス制御を行う第３制御モードが選択されるとき、回転速度／フューエルインデックス変換ブロック１２において、平均値Ｒａｖを用いて目標回転速度Ｎｏが目標フューエルインデックスＦＩｏに変換される。【選択図】図１
2011052577.tif 000002
【特許請求の範囲】
【請求項１】
主機関の実回転速度とフューエルインデックスから負荷抵抗係数を求め、更新される前記負荷抵抗係数を用いて制御目標値を第１の物理量から第２の物理量に変換することを特徴とする舶用エンジン制御システム。
【請求項２】
前記負荷抵抗係数の所定時間に亘る平均値を前記変換に用いることを特徴とする請求項１に記載の舶用エンジン制御システム。
【請求項３】
前記第１の物理量が、前記主機関の回転速度であることを特徴とする請求項２に記載の舶用エンジン制御システム。
【請求項４】
前記第２の物理量が、前記主機関の出力であることを特徴とする請求項３に記載の舶用エンジン制御システム。
【請求項５】
前記第２の物理量が、フューエルインデックスであることを特徴とする請求項３に記載の舶用エンジン制御システム。
【請求項６】
複数の制御モードを備え、前記第２の物理量が、前記制御モードの切替えにおいて前記主機関の出力とフューエルインデックスとの間で切替えられることを特徴とする請求項２に記載の舶用エンジン制御システム。
【請求項７】
前記負荷抵抗係数から導出される物理量をパラメータとして制御モードの切替えを行うことを特徴とする請求項２または請求項６の何れか一項に記載の舶用エンジン制御システム。
【請求項８】
前記物理量に、前記負荷抵抗係数の変動周期または前記変動の実効値の少なくとも一方が含まれることを特徴とする請求項７に記載の舶用エンジン制御システム。
【請求項９】
前記制御モードの切替えが制御目標値の切替えに対応することを特徴とする請求項８に記載の舶用エンジン制御システム。
【請求項１０】
前記制御モードの切替えがＰＩＤ演算の比例項、積分項の感度の変更に対応することを特徴とする請求項９に記載の舶用エンジン制御システム。
【請求項１１】
請求項１〜１１の何れか一項に記載の舶用エンジン制御システムを備えたことを特徴とする船舶。
【請求項１２】
主機関の実回転速度とフューエルインデックスから負荷抵抗係数を求め、更新される前記負荷抵抗係数を用いて制御目標値を第１の物理量から第２の物理量に変換することを特徴とする舶用エンジン制御方法。
【発明の詳細な説明】
【技術分野】
【０００１】
本発明は、舶用エンジンの制御システムに関し、特に海象に基づき舶用エンジンの制御を行う制御システムに関する。
【背景技術】
【０００２】
舶用エンジンの制御では、設定された目標回転速度と実回転速度の間の偏差がなくなるようにＰＩＤ制御が行われる。しかし、荒天時などには、プロペラによる負荷トルクが急激に変化するため通常の天候の下での航行を想定したゲインによるＰＩＤ制御では、オーバースピードによる機関の故障を招くなどの恐れがある。このような問題に対しては、外乱によるプロペラ回転速度の変動を予測してＰＩＤ制御のゲインを変更する構成が提案されている（特許文献１）。
【先行技術文献】
【特許文献】
【０００３】
【特許文献１】特開平８−２００１３１号公報
【発明の概要】
【発明が解決しようとする課題】
【０００４】
燃費向上には、海象に応じたガバナ制御を行う必要があるが、特許文献１では、海象の判断を行っていないので、時々刻々と変化する海象の変化に厳密には対応することはできない。また、回転速度制御は、海象によっては必ずしも燃費効率が良いとは言えない。
【０００５】
本発明は、新たにセンサを設けることなく海象の変化を判断し、海象に応じたガバナ制御を行うことにより燃費の向上を図ることを目的としている。
【課題を解決するための手段】
【０００６】
本発明の舶用エンジン制御システムは、主機関の実回転速度とフューエルインデックスから負荷抵抗係数を求め、更新される負荷抵抗係数を用いて制御目標値を第１の物理量から第２の物理量に変換することを特徴としている。
【０００７】
好ましくは、負荷抵抗係数の所定時間に亘る平均値が変換に用いられる。また例えば、第１の物理量は、主機関の回転速度であり、第２の物理量は、主機関の出力である。また、第２の物理量は、フューエルインデックスであってもよい。更に、舶用エンジン制御システムが、複数の制御モードを備え、第２の物理量は、制御モードの切替えにおいて主機関の出力とフューエルインデックスとの間で切替えられることが好ましい。
【０００８】
更に好ましくは、舶用エンジン制御システムは、負荷抵抗係数から導出される物理量をパラメータとして制御モードの切替えを行う。物理量には、例えば負荷抵抗係数の変動周期または変動の実効値の少なくとも一方が含まれる。また制御モードの切替えは、例えば制御目標値の切替えに対応し、あるいはＰＩＤ演算の比例項、積分項の感度の変更に対応してもよい。
【０００９】
本発明の船舶は、上記何れかの舶用エンジン制御システムを備えたことを特徴としている。
【００１０】
本発明の舶用エンジン制御方法は、主機関の回転速度とフューエルインデックスから負荷抵抗係数を求め、更新される負荷抵抗係数を用いて制御目標値を第１の物理量から第２の物理量に変換することを特徴としている。
【発明の効果】
【００１１】
本発明によれば、新たにセンサを設けることなく海象の変化を判断し、海象に応じたガバナ制御を行うことにより燃費を向上することができる。
【図面の簡単な説明】
【００１２】
【図１】第１実施形態の舶用エンジン制御システムの制御ブロック図である。
【図２】負荷抵抗係数Ｒと、実回転速度Ｎｅ、フューエルインデックスＦＩｅの具体的な時系列変化を示すグラフである。
【図３】フューエルインデックス制御、出力制御、回転速度制御における動的特長を示すグラフである。
【図４】第２実施形態で使用される制御マップの例である。
【図５】図２（ｃ）に示される負荷抵抗係数Ｒの変動成分Ｒｖと、その実効値Ｒｅの時系列変化、負荷抵抗係数Ｒの変動周期を示すグラフである。
【図６】第３実施形態で使用される制御マップの例である。
【図７】第３実施形態の舶用エンジン制御システムの制御ブロック図である。
【発明を実施するための形態】
【００１３】
以下、本発明の実施形態について添付図面を参照して説明する。
図１は、本発明の第１実施形態である舶用エンジン制御システムの構成を示す制御ブロック図である。
【００１４】
第１実施形態の舶用エンジン制御システム１０は、例えば３つの制御モードを備え、各制御モードは、海象の状態などに応じて択一的に選択可能である。第１制御モードは、主機関１３の実回転速度（回転数）Ｎｅを目標回転速度（回転数）Ｎｏに維持する回転速度制御である。第２制御モードは、主機関１３の出力Ｐｅを目標値Ｐｏに維持する出力制御である。また、第３制御モードは、燃料噴射量、すなわち、その指標であるフューエルインデックスＦＩｅを目標値ＦＩｏに維持するフューエルインデックス制御である。
【００１５】
舶用エンジン制御システム１０では、操縦者は、何れの制御モードにおいても回転速度（Ｎｏ）を制御指令として与える。すなわち、本実施形態のガバナ制御では、操縦者は、回転速度のみを制御対象として認識すればよい。
【００１６】
第１制御モード（回転速度制御）では、制御指令として与えられた目標回転速度Ｎｏと、フィードバックされる実回転速度Ｎｅとの間の偏差がコントローラ１１に入力される。コントローラ１１からの出力は、切替えスイッチ２２を介してアクチュエータ１５へと送られ、アクチュエータ１５は、コントローラ１１からの出力に対応した燃料噴射量（フューエルインデックスＦＩｅ）の燃料を主機関１３に供給する。
【００１７】
なお、切替えスイッチ２２は、第１〜第３制御モード間の切替えを行うスイッチであり、第１制御モード選択時には、回転速度制御用のコントローラ１１とアクチュエータ１５とを接続する。
【００１８】
第２制御モード（出力制御）では、制御指令として与えられた目標回転速度Ｎｏが、回転速度／出力変換ブロック１６において目標出力Ｐｏに変換される（後述）。出力制御では、主機関１３の現在の出力Ｐｅがフィードバックされ、目標出力Ｐｏとの間の偏差がコントローラ１７に入力される。第２制御モードにおいて、切替えスイッチ２２は、コントローラ１７とアクチュエータ１５を接続し、コントローラ１７からの出力は、切替えスイッチ２２を介してアクチュエータ１５へと送られる。アクチュエータ１５は、コントローラ１７からの出力に対応した燃料噴射（フューエルインデックスＦＩｅに対応）を主機関１３に行う。
【００１９】
なお、フィードバックされる現在の出力Ｐｅは、出力算出ブロック１９において、主機関１３の実回転速度Ｎｅと実際の燃料噴射量に対応するフューエルインデックスＦＩｅから算出される（後述）。
【００２０】
また、回転速度／出力変換ブロック１６における変換は、後述する負荷抵抗係数Ｒの平均値Ｒａｖに基づいて変換されるもので、負荷抵抗係数Ｒおよびその平均値Ｒａｖは、負荷抵抗係数算出ブロック２４において、後述するように実フューエルインデックスＦＩｅと実回転速度Ｎｅから算出される。
【００２１】
第３制御モード（フューエルインデックス制御）では、制御指令として与えられた目標回転速度Ｎｏが、回転速度／フューエルインデックス変換ブロック１２において目標フューエルインデックスＦＩｏに変換される。なおこの変換においても、負荷抵抗係数算出ブロック２４において算出される負荷抵抗係数Ｒの平均値Ｒａｖが用いられる。
【００２２】
フューエルインデックス制御では、実際の燃料噴射量に対応するフューエルインデックスＦＩｅがフィードバックされ、目標フューエルインデックスＦＩｏとの間の偏差がコントローラ１４に入力される。第３制御モードにおいて、切替えスイッチ２２は、コントローラ１４とアクチュエータ１５を接続し、コントローラ１４からの出力は、切替えスイッチ２２を介してアクチュエータ１５へと送られる。アクチュエータ１５は、コントローラ１４からの出力に対応した燃料噴射（フューエルインデックスＦＩｅに対応）を主機関１３に行う。
【００２３】
以上のように、第１実施形態の舶用エンジン制御システム１０では、切替えスイッチ２２の切替えにより、制御モードを回転速度制御、出力制御、フューエルインデックス制御の間で切り替えられ、海象に合わせたガバナ制御を行うことが可能になる。
【００２４】
次に、回転速度／出力変換ブロック１６、回転速度／フューエルインデックス変換ブロック１２における制御目標値の変換式、および出力算出ブロック１９における出力算出式について説明する。なお以下の説明では、回転速度Ｎ、出力Ｐ、トルクＴ、フューエルインデックスＦＩを主機関１３の連続最大定格（ＭＣＲ）のときに１００％となる百分率［％］で表す。
【００２５】
プロペラ法則によれば、出力Ｐ［％］は、回転速度Ｎ［％］の３乗に比例し、
Ｐ＝Ｒ・（Ｎ／１００）３              （１）
と表される。ここでＲは、上述した海象に依存する係数［％］であり、本明細書では負荷抵抗係数と呼ぶ。なお、Ｒ［％］は、平水状態（波風がない穏やかな状態）を航行中に１００％となる。
【００２６】
一方、トルクＴ［％］、出力Ｐ［％］、回転速度Ｎ［％］の間には、
Ｔ＝Ｐ／（Ｎ／１００）              （２）
の関係があるので、トルクＴは、負荷抵抗係数Ｒを用いると
Ｔ＝Ｒ・（Ｎ／１００）２              （３）
と表される。
【００２７】
また、ガバナ制御においてフューエルインデックスＦＩ［％］は、トルクＴ［％］に等しい（ＦＩ＝Ｔ）と見なせるので（３）式から、
ＦＩ＝Ｒ・（Ｎ／１００）２            （４）
が得られる。
【００２８】
したがって、負荷抵抗係数Ｒが決定されれば、回転速度／出力変換ブロック１６では（１）式に基づいて回転速度Ｎから出力Ｐが、回転速度／フューエルインデックス変換ブロック１２では（４）式に基づいてフューエルインデックスＦＩが求められる。
【００２９】
また（４）式から、現在の負荷抵抗係数Ｒの値は、実フューエルインデックスＦＩｅ［％］と実回転速度Ｎｅ[％]から、
Ｒ＝ＦＩｅ／（Ｎｅ／１００）２        （５）
として求めることができる。
【００３０】
すなわち、（４）式の負荷抵抗係数Ｒは、海象に応じて時々刻々と変化するが、その値は、（５）式から求められる。したがって、本実施形態の回転速度／出力変換ブロック１６、および回転速度／フューエルインデックス変換ブロック１２では、（５）式を用いて算出される負荷抵抗係数Ｒの所定時間（例えば数十分から数時間程度、好ましくは１時間程度）Ｔの平均値Ｒａｖ＝［∫ＦＩｅ／（Ｎｅ／１００）２・ｄｔ］／Ｔを、所定時間Ｔ毎に（１）式、（４）式で用いられる負荷抵抗係数Ｒの値として更新・設定する。
【００３１】
すなわち、回転速度／出力変換ブロック１６では、変換式として、
Ｐｏ＝Ｒａｖ・（Ｎｏ／１００）３            （６）
が用いられ、回転速度／フューエルインデックス変換ブロック１２では、変換式として、
ＦＩｏ＝Ｒａｖ・（Ｎｏ／１００）２          （７）
が用いられる。
【００３２】
また、出力算出ブロック１９において算出される出力Ｐｅの値は、（１）、（５）式から
Ｐｅ＝ＦＩｅ・（Ｎｅ／１００）                      （８）
として求められる。
【００３３】
図２に、負荷抵抗係数Ｒと、実回転速度Ｎｅ、フューエルインデックスＦＩｅの具体的な時系列変化を模式的に示す。なお、図２（ａ）は回転速度Ｎｅ[％]、図２（ｂ）はフューエルインデックスＦＩｅ[％]の計測値、図２（ｃ）は、（５）式に図２（ａ）、図２（ｂ）に示される実回転速度Ｎｅ、フューエルインデックスＦＩｅを代入して算出される負荷抵抗係数Ｒ[％]の算出値の時系列変化を示したもので、横軸は時間[秒]である。
【００３４】
図２（ａ）に示されるように、実回転速度Ｎｅは、回転速度（回転数）を一定とする回転速度制御においても、波浪の影響により、設定された目標値を中心に変動し、変動の周期は、船体が受ける波の周期に相関する。一方、図２（ｂ）に示されるように、フューエルインデックス（燃料噴射量）ＦＩｅには、回転速度変動に相関する変動の他に、回転速度変動の周期に比べオーダーが遥かに大きいトレンドが存在する。そして、（５）式、Ｒ＝ＦＩｅ／（Ｎｅ／１００）２により算出される負荷抵抗係数Ｒは、図２（ａ）、図２（ｂ）、それぞれの変動の影響を受け、図２（ｃ）に示されるように変動する。
【００３５】
次に図３に、回転速度制御、出力制御、フューエルインデックス制御の各制御モードにおける主機関の回転速度［％］の変動（図３（ａ））、フューエルインデックスの値の変動（図３（ｂ））、出力変動（図３（ｃ））、負荷抵抗係数の変動（図３（ｄ））の代表例を示す。
【００３６】
図３に示されるように、フューエルインデックス制御は、例えば図３（ｄ）に示されるように、負荷抵抗係数Ｒの変動が小さく、周期も短い主機関の応答遅れが発生する場合に選択される。フューエルインデックス制御では、図３（ｂ）に示されるように、フューエルインデックスが一定に維持されるが、図３（ａ）、図３（ｃ）に示される回転速度や出力は、短い周期で僅かに変動する。
【００３７】
出力制御は、図３（ｄ）に示されるように、負荷抵抗係数Ｒの変動が中程度で、周期もある程度長く、主機関が十分に追従できる状況で選択される。主機関の出力は、上述された出力制御により、図３（ｃ）に示されるように略一定に維持され、主機関は安定して運転される。このとき回転速度（図３（ａ））やフューエルインデックス（図３（ｂ））は、負荷抵抗係数Ｒと略同じ周期で、中程度の大きさで変動する。
【００３８】
また、回転速度制御は、例えば極度に荒れた波浪中やハーバーゾーンで使用され、例えばレーシングによる主機関の過回転などが防止される。例えばレーシング発生時、図３（ｄ）に示されるように、負荷抵抗係数Ｒは突然極度にその値が小さくなる。このとき、回転速度は急激に上昇し始めるため、回転速度を一定に維持するように、フューエルインデックスが大幅に下げられ（図３（ｂ））、主機関の出力が大きく下げられる（図３（ｃ））。これにより、回転速度の過度な上昇が防止される。
【００３９】
以上のように、第１実施形態では、海象などに応じて、適切な物理量を制御目標値に設定してガバナ制御を行うことが可能になり、燃費を向上することができる。また、目標回転速度Ｎｏを与えれば、その値およびそのときの海象に適する出力制御目標値Ｐｏやフューエルインデックス制御目標値ＦＩｏが得られるので、燃費を更に改善することができる。
【００４０】
次に、図４、図５を参照して、本発明の第２実施形態の舶用エンジン制御システムについて説明する。第２実施形態の舶用エンジン制御システムの構成は、略第１実施形態の舶用エンジン制御システムと同様であるが、第２実施形態では、第１〜第３制御モードの切替えを、負荷抵抗係数Ｒの変動の周期と負荷抵抗係数Ｒの変動の実効値をパラメータとして行う。
【００４１】
図４は、負荷抵抗係数Ｒの変動の周期と実効値に基づき第１〜第３の制御モードの切替えを行う制御マップの一例を示す。すなわち、図４において、横軸は負荷抵抗係数Ｒの変動周期、縦軸は負荷抵抗係数Ｒの変動の実効値に対応する。
【００４２】
一般に負荷抵抗係数Ｒの変動周期の長短は、波浪変動に対する主機関の追従性に正相関し、変動の実効値の大小は、波浪の影響の大小に正相関するとともにノイズの影響の大小に逆相関する。したがって、本実施形態では変動周期が短く主機関の応答性が低い場合や、変動の実効値が小さく、波浪の影響は小さいがノイズの影響が大きい場合には、フューエルインデックス制御を行い、燃料噴射量を固定して無駄な燃料噴射を抑える（フューエルインデックス制御モード）。
【００４３】
逆に変動周期が長く、十分な追従性が得られる場合や、変動の実効値が大きく、レーシングが起こるような波浪の影響が大きい場合には、回転速度制御を行い、主機関（プロペラ）回転速度を一定に維持する（回転速度制御モード）。そして、これら２つの運転モードの中間領域では、出力制御を行い、主機関の出力を一定に維持する（出力制御モード）。
【００４４】
すなわち、第２実施形態では、負荷抵抗係数算出ブロック２４（図１）において算出される負荷抵抗係数Ｒに基づき更に、負荷抵抗係数Ｒの変動の周期と負荷抵抗係数Ｒの変動の実効値が算出され、図４の制御マップを参照して、対応する領域の制御モードが選択され、切替スイッチ２２（図１）の切替が行われる。
【００４５】
ここで図５（ａ）に、図２（ｃ）に示される負荷抵抗係数Ｒ［％］の変動成分Ｒｖ［％］の時系列変化とＲｖの実効値Ｒｅ［％］の時系列変化をグラフに示す。なお、図５（ａ）における変動成分Ｒｖは、図２（ｃ）の負荷抵抗係数Ｒからトレンドを除去したものに対応する。また、図５（ｂ）に、図５（ａ）の変動成分Ｒｖ［％］の立ち上がりにおいて０［％］を横切る時点から次の立ち上がりにおいて０［％］を横切る時点までに掛かる時間をプロットしたものをグラフ示し、本実施形態では、この値を負荷抵抗係数Ｒの変動周期として用いる。
【００４６】
以上のように、本発明の第２実施形態によれば、第１実施形態と略同様の効果が得られるとともに、負荷抵抗係数の変動周期、変動の実効値などの負荷抵抗係数から導出される物理量から、現在の海象を判断して制御目標値が異なる複数の制御モードから適切な制御モードを選択することができる。
【００４７】
次に、図６、図７を参照して、第３実施形態について説明する。第３実施形態は、第２実施形態と同様に、負荷抵抗係数Ｒの変動周期と変動の実効値をパラメータとしてガバナの制御モードを切替える。第２実施形態の制御モードの切替えでは、制御目標値を回転速度、出力、フューエルインデックスに変更したが、第３実施形態では、制御目標値の変更は行わず、制御パラメータをマップの各領域に対応して変更する。
【００４８】
第３実施形態の舶用エンジン制御システムでは、例えば回転速度制御がガバナ制御に用いられ、第２実施形態の制御マップ（図４）に示される回転速度制御、出力制御、フューエルインデックス制御の各領域に対応する領域で、それぞれ、図６の制御マップに示されるように、敏感制御、中庸制御、緩慢制御が選択される。
【００４９】
図７に第３実施形態の回転速度制御の制御ブロック図を示す。なお第１、第２実施形態と同様の構成については同じ参照符号を用いその説明を省略する。第３実施形態の回転速度制御では、目標回転速度Ｎｏと実回転速度Ｎｅの偏差がコントローラ２５に入力される。コントローラ２５からの出力はアクチュエータ１５に入力され、主機関１３へはコントローラ２５からの出力に対応する燃料噴射量（フューエルインデックスＦＩｅ）が供給される。
【００５０】
コントローラ２５は、例えばＰＩＤ制御ブロックを含み、各項のゲインの設定は、制御モード切替ブロック２６からの指令に基づいて変更される。制御モード切替ブロック２６には、実フューエルインデックスＦＩと実回転数Ｎｅが入力され、第１実施形態の負荷抵抗係数算出ブロック２４と同様に、負荷抵抗係数Ｒが算出されるとともに、その変動周期および変動の実効値が算出され、図６の制御マップが参照される。そして制御モード切替ブロック２６は、コントローラ２５のＰＩＤ制御ブロックに対して、制御マップに基づいて選択される制御モードのゲインを設定にする。
【００５１】
表１に第３実施形態の各制御モードにおけるＰＩＤ演算での各項の感度の相対的な関係を示し、これらは各項のゲインの設定を変更することにより変更される。
【表１】
2011052577.tif 000003
【００５２】
また、図６では、３つの領域に制御モードを分けたが、２つの制御モードのみに分ける構成でもよく、この場合には、例えば敏感制御と緩慢制御に分けられ、両モードにおけるＰＩＤ演算での比例項、積分項の感度の相対的な関係は、表２に示される。
【表２】
2011052577.tif 000004
なお、このような場合には、ＰＩ制御のみであってもかまわない。
【００５３】
以上のように、第３実施形態においても、第２実施形態と略同様の効果を得ることができる。なお、本実施形態では、回転速度制御を例に説明を行ったが、出力制御やフューエルインデックス制御に本実施形態を適用することもできる。
【００５４】
また、第１〜第３実施形態は、整合が取れる範囲において、それぞれ組合わせて適用することも可能である。
【００５５】
なお、各実施形態において、算出される負荷抵抗係数、その変動周期、変動の実効値の何れか１つあるいは負荷抵抗係数から導出される物理量の２以上を操舵室や機関室等に表示する構成としてもよい。また、第２、第３実施形態において、制御モードの切替えを負荷抵抗係数の変動周期、変動の実効値の何れか一方のみ、あるいは負荷抵抗係数から導出される他の物理量と組合わせて規定することも可能である。また、変動周期の代わりに変動周波数を用いることも可能である。更に、本実施形態では、操縦者は制御指令として回転速度を設定したが、フューエルインデックス、出力、船速や他の物理量を制御指令として設定する構成とすることもできる。
【００５６】
また、制御方法についてはＰＩＤ制御に限らず、現代制御理論、適用制御、学習制御等にも適用可能である。例えば第３実施形態の場合、負荷抵抗係数から導かれる物理量に基づいて、ＰＩ演算やＰＩＤ演算の感度を変更して、制御モードの切替えを行ったが、例えば、現代制御理論、適用制御、学習制御等では、負荷抵抗係数から導かれる物理量に基づいて、各々の制御における制御パラメータの値を変更し、制御モードの切替えを行ってもよい。
【符号の説明】
【００５７】
１０、２０  舶用エンジン制御システム
１１、１４、１７、２５  コントローラ
１２  回転速度／フューエルインデックス変換ブロック
１３  主機関
１５  アクチュエータ
１６  回転速度／出力値変換ブロック
１９  出力算出ブロック
２２  切替えスイッチ
２４  負荷抵抗係数算出ブロック
２６  制御モード切替ブロック
【図１】
2011052577.tif 000005
【図２】
2011052577.tif 000006
【図３】
2011052577.tif 000007
【図４】
2011052577.tif 000008
【図５】
2011052577.tif 000009
【図６】
2011052577.tif 000010
【図７】
2011052577.tif 000011